(57)【要約】【課題】コルポスコープ等の婦人科系の内視鏡を用いて子宮頸部を観察、撮影、撮影画像の解析等（疾患の可視化）を行う際に、より明確に可視化させる診断支援装置を提供する。【解決手段】婦人科系の疾患の診断を支援するための診断支援装置１０Ａは、患部に第１可視光及び第２可視光を用いてスポット照射を行うライトユニット１１と、患部からの反射光を可視化するレンズユニット１２１と、を備え、ライトユニット１１は、第１可視光非偏光光、第２可視光非偏光光、及び第１可視光偏光光を発光可能であり、第１可視光非偏光光の光源は、第１可視光発光源１１８ａにより、第２可視光非偏光光の光源は、第２可視光発光源１１８ｄｄにより、第１可視光偏光光の光源は、第１可視光発光源１１８ｂと偏光フィルタ１１４ｂにより、それぞれ構成されている。【選択図】図５
2019217179.tif 000002
【特許請求の範囲】
【請求項１】
婦人科系の疾患の診断を支援するための診断支援装置であって、
患部に第１可視光及び第２可視光を用いてスポット照射を行うライトユニットと、
前記患部からの反射光を可視化するレンズユニットと、を備え、
前記ライトユニットは、第１可視光非偏光光、第２可視光非偏光光、及び第１可視光偏光光を発光可能であり、
前記第１可視光非偏光光の光源は、第１可視光発光源により、
前記第２可視光非偏光光の光源は、第２可視光発光源により、
前記第１可視光偏光光の光源は、第１可視光発光源と偏光フィルタにより、それぞれ構成されている、ことを特徴とする診断支援装置。
【請求項２】
前記第１可視光非偏光光の光源、前記第２可視光非偏光光の光源、及び前記第１可視光偏光光の光源は、前記レンズユニットのレンズの外周を取り囲むように配置され、前二者の各光源は、前記レンズを挟んで対向する位置に一対２個で、後者の光源は、前記レンズを挟んで対向する位置に二対４個で、それぞれ配置されている、ことを特徴とする請求項１に記載の診断支援装置。
【請求項３】
前記ライトユニットは、前記患部に不可視光を用いてスポット照射を行う光源をさらに有することによって不可視光偏光光を発光可能であり、前記不可視光偏光光の光源は、不可視光発光源と偏光フィルタにより構成されている、ことを特徴とする請求項１に記載の診断支援装置。
【請求項４】
前記第１可視光非偏光光の光源、前記第２可視光非偏光光の光源、前記第１可視光偏光光の光源、及び前記不可視光偏光光の光源は、前記レンズユニットのレンズの外周を取り囲むように配置され、前二者の各光源は１個で、後二者の各光源は隣接する２個で、それぞれ配置されている、ことを特徴とする請求項３に記載の診断支援装置。
【請求項５】
前記第１可視光非偏光光の光源、前記第２可視光非偏光光の光源、前記第１可視光偏光光の光源、及び前記不可視光偏光光の光源は、前記レンズユニットのレンズの外周を取り囲むように配置され、前二者の各光源は、前記レンズを挟んで対向する位置に一対２個で、後二者の各光源は、前記レンズを挟んで対向する位置に二対４個で、それぞれ配置されている、ことを特徴とする請求項３に記載の診断支援装置。
【請求項６】
前記第１可視光は、白色光であり、前記第２可視光は、緑色光及び青色光の少なくとも１つである、ことを特徴とする請求項１から５のいずれか１項に記載の診断支援装置。
【請求項７】
前記不可視光は、近赤外光及び紫外光の少なくとも１つである、ことを特徴とする請求項３から５のいずれか１項に記載の診断支援装置。
【請求項８】
前記第２可視光発光源は、白色光の発光源と第２可視光フィルタにより構成されていることを特徴とする請求項１から７のいずれか１項に記載の診断支援装置。
【請求項９】
前記ライトユニットは、前記第２可視光発光源に偏光フィルタを、又は、白色光の発光源と第２可視光フィルタに偏光フィルタを付加して、前記第２可視光非偏光光の光源を第２可視光偏光光の光源とすることにより、前記第２可視光偏光光を発光可能である、ことを特徴とする請求項１から７のいずれか１項に記載の診断支援装置。
【請求項１０】
前記第１可視光非偏光光の光源、前記第２可視光偏光光の光源、及び前記第１可視光偏光光の光源は、前記レンズユニットのレンズの外周を取り囲むように配置され、前者の光源は、前記レンズを挟んで対向する位置に一対２個で、後二者の各光源は、前記レンズを挟んで対向する位置に二対４個で、それぞれ配置されている、ことを特徴とする請求項９に記載の診断支援装置。
【請求項１１】
前記第１可視光非偏光光の光源、前記第２可視光偏光光の光源、前記第１可視光偏光光の光源、及び前記不可視光偏光光の光源は、前記レンズユニットのレンズの外周を取り囲むように配置され、前者の光源は１個で、後三者の各光源は隣接する２個で、それぞれ配置されている、ことを特徴とする請求項９に記載の診断支援装置。
【請求項１２】
前記第１可視光非偏光光の光源、前記第２可視光偏光光の光源、前記第１可視光偏光光の光源、及び前記不可視光偏光光の光源は、前記レンズユニットのレンズの外周を取り囲むように配置され、前者の光源は、前記レンズを挟んで対向する位置に一対２個で、後三者の各光源は、前記レンズを挟んで対向する位置に二対４個で、それぞれ配置されている、ことを特徴とする請求項９に記載の診断支援装置。
【請求項１３】
さらに、前記患部を撮像する撮像ユニットを備えることにより、コルポスコピーカメラ又はサービコスコピーカメラとして構成されることを特徴とする請求項１から１２のいずれか１項に記載の診断支援装置。
【請求項１４】
前記レンズユニットが、光軸上に位置する状態と光軸上から退避する状態との間を移動可能な複数のフィルタを含むフィルタユニットを備えることを特徴とする請求項１から１３のいずれか１項に記載の診断支援装置。
【発明の詳細な説明】
【技術分野】
【０００１】
本発明は、婦人科系の疾患の診断を支援するための診断支援装置に関する。
【背景技術】
【０００２】
主に産婦人科で、コルポスコープを用いて、子宮頸部の観察、撮影、撮影画像の解析等（疾患の可視化）を行うことにより、子宮頸部病変の程度と広がりを把握するためのコルポスコピー手順という検査が行なわれる（特許文献１参照）。コルポスコピーの最も重要な役割は、子宮頸部の前癌状態や初期癌の最強病変部位すなわち生検部位を設定することにある。受診者に疼痛や苦痛がなく、経済的負担も少ないことから、子宮頸部上皮異常の追跡検査法としての価値も高い。
【０００３】
一般的に、コルポスコープを用いた疾患の重要な構造（血管及び神経）の可視化には、３つの典型的な課題を含む。第１に、劣悪な可視化状態のために血管及び神経を区別することができない。第２に、血管及び神経は、他の組織の層の下に隠されている。第３に、対象の血管及び神経の構造は、周囲の構造から区別することができない。特に、外因性造影剤を使用しない現在の利用可能な技術では、コルポスコープによって、不十分にしか可視化されないという課題がある。
【０００４】
そこで、コルポスコープでは、血管像を強調するために緑フィルタが採用されている（特許文献１、段落［０００２］参照）。しかし、単純に緑フィルタを通せば赤い色が強調されるが、強調されすぎる場合もあり、従来のコルポスコープを用いた疾患の可視化には改善の余地があった。
【先行技術文献】
【特許文献】
【０００５】
【特許文献１】特表２０１７−５１５５８８号公報
【発明の概要】
【発明が解決しようとする課題】
【０００６】
本発明は、このような問題点に着目してなされたもので、コルポスコープ等の婦人科系の内視鏡を用いて子宮頸部を観察、撮影、撮影画像の解析等（疾患の可視化）を行う際に、より明確に可視化させる診断支援装置を提供することを目的とする。
【課題を解決するための手段】
【０００７】
上記した課題を解決するために本発明の一態様は、婦人科系の疾患の診断を支援するための診断支援装置であって、患部に第１可視光及び第２可視光を用いてスポット照射を行うライトユニットと、前記患部からの反射光を可視化するレンズユニットと、を備え、前記ライトユニットは、第１可視光非偏光光、第２可視光非偏光光、及び第１可視光偏光光を発光可能であり、前記第１可視光非偏光光の光源は、第１可視光発光源により、前記第２可視光非偏光光の光源は、第２可視光発光源により、前記第１可視光偏光光の光源は、第１可視光発光源と偏光フィルタにより、それぞれ構成されている、ことを特徴とする。
本発明の他の特徴は、本明細書及び添付図面の記載により明らかにする。
【発明の効果】
【０００８】
本発明によれば、コルポスコープ等の婦人科系の内視鏡を用いて子宮頸部を観察、撮影、撮影画像の解析等（疾患の可視化）を行う際に、より明確に可視化させる診断支援装置を提供することができる。
【図面の簡単な説明】
【０００９】
【図１】第１実施形態に係る診断支援装置の斜視図である。
【図２】第１実施形態に係る診断支援装置の分解斜視図である。
【図３】第１実施形態に係る診断支援装置の断面図である。
【図４】第１実施形態における画角を説明する図である。
【図５】第２実施形態に係る診断支援装置の斜視図である。
【図６】第３実施形態に係る診断支援装置の斜視図である。
【図７】第４実施形態に係る診断支援装置の模式断面図である。
【図８】緑色フィルタの透過率を説明するグラフである。
【図９】第５実施形態に係るフィルタユニットを説明する図である。
【発明を実施するための形態】
【００１０】
以下、本発明を適用した診断支援装置の実施形態について、図面を参照しながら説明する。当該診断支援装置は、膣や子宮頸部を診察するための撮像装置であるコルポスコピーカメラや、より一般的に被写体に接触することで撮影する撮像装置であるクローズアップカメラなどに適用されるものであるが、本明細書では、コルポスコピーカメラに代表させて説明する。なお、本明細書では、「マイクロスコープ（Microscope）：顕微鏡」及び「マイクロスコピー（Microscopy）：顕微鏡による検査又は顕微鏡使用（法）」の使い分けに準じ、「コルポスコープ（Colposcope）：膣拡大鏡」及び「コルポスコピー（Colposcopy）：膣拡大鏡による検査又は膣拡大鏡使用（法）」、「サービコスコープ（Cervicoscope）：側視型頸管内視鏡」及び「サービコスコピー（Cervicoscopy）：側視型頸管内視鏡による検査又は側視型頸管内視鏡使用（法）」の用語を、膣や子宮頸部の検査用の拡大鏡（装置）及び同拡大鏡を用いた子宮癌（子宮頸癌）検査又は同拡大鏡使用（行為）という意味で用いている。
【００１１】
本実施形態に係る診断支援装置は、観察機構のみをもって構成してもよいし、あるいは、撮像機構を付加してコルポスコピーカメラ又はサービコスコピーカメラとして構成してもよく、広く婦人科系の内視鏡にも適用可能である。以下では、診断支援装置が撮像機構を含むコルポスコピーカメラである場合について説明するが、観察機構のみを備える診断支援装置も説明の範囲に含むものである。当該コルポスコピーカメラは、緑色フィルタによる緑色光の光源を有しており、これは、緑色が観察対象である患部における血管がコントラスト良く見える波長であること、さらには緑色フィルタの透過率が高い波長であることに着目したものである。また、本実施形態の一態様では、更に偏光フィルタを配置することにより、緑色フィルタ透過領域でも反射防止効果を適切に得ることができ、血管の確認・撮影を、表面反射を取り除いた状態で行うことで、適切な病変確認が可能になる。以下、詳しく説明する。
【００１２】
（第１実施形態）
（コルポスコピーカメラ１０の全体構成）
まず、図１から図４を参照して、第１実施形態に係るコルポスコピーカメラ１０（診断支援装置）について説明する。図１は、第１実施形態に係るコルポスコピーカメラ１０の斜視図を、図２は同じく分解斜視図を、図３は同じく断面図を、図４は同じく画角を説明する図を、それぞれ示している。
【００１３】
以下の説明において、図１に示すように、観察対象側をコルポスコピーカメラ１０の前方（前面、正面）と、その反対側を後方（後面、背面）とし、コルポスコピーカメラ１０を前方から見たときの上下左右方向をそのまま上下左右方向とした直交座標系に基づいて説明するものとする。また、各部材に関する取り付けは、特に言及がない限り、ネジ、ビス等を用いた取り付けや、嵌合等の取り付け等、適宜の方法で行えばよい。
【００１４】
図１に示すように、コルポスコピーカメラ１０は、前方の被写体（例えば、子宮頸部）を照明するライトユニット１１と、ライトユニット１１が取り付けられたカメラ本体１２と、カメラ本体１２の後方に設けられたコントローラ１３とによって一体的に構成されている。詳しくは後述するが、ライトユニット１１の前面には、各種のフィルタ１１４（フィルタ無し１１４ａ、偏光フィルタ１１４ｂ、偏光フィルタ１１４ｃ、緑色フィルタ１１４ｄ）を含む複数（ここでは、１２個）の光源が設けられている。
【００１５】
コルポスコピーカメラ１０を分解して示すと図２のとおりであり、ライトユニット１１は、カバー体１１２の内部に、上述の各種のフィルタ１１４に対応する発光源として複数（ここでは、１２個）のＬＥＤ１１８を含み、カメラ本体１２は、レンズユニット１２１とライトユニット１１の取付部１２２と枠体１２３を含み、コントローラ１３は、本体部１３１や表示部１３２を含んでいる。以下、図２と断面図である図３とを参照して、各別に説明する。
【００１６】
（ライトユニット１１）
ライトユニット１１のカバー体１１２は、その中央に被写体からの反射光が入射する先端口１１２ａを有しており、先端口１１２ａには保護ガラス１１１が取り付けられる。先端口１１２ａの周囲には発光源からの光が出射する複数（ここでは、１２個）の光源口１１２ｂが環状に開口しており、各光源口１１２ｂの先端には保護ガラス１１３が取り付けられる（図３参照）。
【００１７】
コルポスコピーカメラ１０では、保護ガラス１１３の背面に、次のように各種のフィルタ１１４が設けられ、又は設けられていない。すなわち、図１にも示したように、上下の２個の保護ガラス１１３にはフィルタ１１４が取り付けられておらず（図２では、フィルタ無し１１４ａとして仮想的に破線表示）、この２つのフィルタ無し１１４ａの保護ガラス１１３の両側の計４個の保護ガラス１１３には偏光フィルタ１１４ｂが取り付けられる。そして、左右の２個の保護ガラス１１３には緑色フィルタ１１４ｄが取り付けられており、この２つの緑色フィルタ１１４ｄの保護ガラス１１３の両側の計４個の保護ガラス１１３には偏光フィルタ１１４ｃが取り付けられている。
【００１８】
なお、フィルタ１１４は種々の態様のものを採用できるが、図２では、板状のフィルタ１１４を保護ガラス１１３の背面側に取り付けた例を示している。なお、フィルタ１１４は、フィルム状のものであってもよい。
【００１９】
光源口１１２ｂの保護ガラス１１３の後方には、集光レンズ１１５が設けられているＬＥＤ筒１１６が挿入される（図３参照）。集光レンズ１１５は、後記するＬＥＤ１１８からの光をスポット照射する。ＬＥＤ筒１１６の後方には、発光源であるＬＥＤ１１８が実装されたＬＥＤ基板１１７が配置されており、ＬＥＤ筒１１６とＬＥＤ１１８は１対１対応となっている。ＬＥＤ１１８の周りには、ＬＥＤ筒１１６の押さえ及びＬＥＤ１１８からの光漏れを防止するためのクッション１１９が設けられている。
【００２０】
ここで、第１実施形態に係るコルポスコピーカメラ１０では、ＬＥＤ１１８は、次のように配置されている。すなわち、２個のフィルタ無し１１４ａに対応する２個のＬＥＤ１１８ａ、４個の偏光フィルタ１１４ｂに対応する４個のＬＥＤ１１８ｂ、４個の偏光フィルタ１１４ｃに対応する４個のＬＥＤ１１８ｃ、及び２個の緑色フィルタ１１４ｄに対応する２個のＬＥＤ１１８ｄが配置されている。ここで、ＬＥＤ１１８ａ、ＬＥＤ１１８ｂ及びＬＥＤ１１８ｄは白色光の発光源、ＬＥＤ１１８ｃは近赤外光の発光源である。
【００２１】
フィルタ１１４とＬＥＤ１１８の組み合わせを整理すると、ＬＥＤ１１８ａとフィルタ無し１１４ａによる一対２個の「白色光非偏光光」、ＬＥＤ１１８ｂと偏光フィルタ１１４ｂによる二対４個の「白色光偏光光」、ＬＥＤ１１８ｃと偏光フィルタ１１４ｃによる二対４個の「近赤外光偏光光」、及びＬＥＤ１１８ｄと緑色フィルタ１１４ｄによる一対２個の「緑色光非偏光光」という、計六対１２個の４種類の光源が設けられることとなる。
【００２２】
なお、本明細書では、白色光を第１可視光と、緑色光を第２可視光と、近赤外光を不可視光ということがある。例えば、「第１可視光非偏光光」、「第１可視光偏光光」、「第２可視光非偏光光」、「第２可視光偏光光」、「不可視光偏光光」、「第１可視光発光源」、「第２可視光発光源」、「不可視光発光源」、「第２可視光フィルタ」の如きである。また、発光源であるＬＥＤ１１８と各種のフィルタ１１４の組み合わせを（フィルタ１１４が設けられていない場合も含めて）光源と呼ぶことがある。さらにまた、第２可視光は、緑色光に代えて青色光としてもよく、また、不可視光は、近赤外光に代えて紫外光としてもよい。
【００２３】
これら４種類の光源のそれぞれは、被写体を撮影するためにはそれぞれ１つを設けることでもよいが、被写体に光を均一に照射することが望まれる場合に備え、入射光の光軸（カメラ本体１２の中心軸）を挟んで対向する一対の位置に設けられている。なお、４種類の光源の相対的位置は、特に図示したものに限られず、例えば、「白色光非偏光光」が上下に代えて左右又は斜め対角線状に一対になるように、「緑色光非偏光光」が左右に代えて上下又は斜め対角線状に一対になるように、あるいは、「白色光偏光光」又は「近赤外光偏光光」の二対のうち一対が斜め対角線状に代えて上下又は左右に一対になるように、配置してもよい。
【００２４】
また、４種類の光源のうち、「白色光偏光光」及び「近赤外光偏光光」は、「白色光非偏光光」及び「緑色光非偏光光」の一対２個に対し、倍の二対４個に設けられているが、これは、偏光光においては、偏光フィルタ１１４ｂと偏光フィルタ１１４ｃによって光量が低下するためである。
【００２５】
（カメラ本体１２）
カメラ本体１２は、前述のとおり、レンズユニット１２１とライトユニット１１の取付部１２２と枠体１２３を含んでいるが、コルポスコピーカメラ１０の側断面をカメラ本体１２の中央線で示した図３を用いて説明する。
【００２６】
図３に示すように、ライトユニット１１のカバー体１１２、カメラ本体１２のライトユニット１１の取付部１２２及び枠体１２３、並びにコントローラ１３の本体部１３１がコルポスコピーカメラ１０の外郭を形成しており、その内部には、カメラ本体１２のレンズユニット１２１が配置されている。
【００２７】
レンズユニット１２１においては、撮像レンズ系１２４の後方（図中右側）の筐体１２６の後面には回路配線基板に実装されたＣＭＯＳセンサなどの撮像素子１２７が収容されている。そして、撮像素子１２７の前方（図中左側）には、フィルタ取付板１２５ｄと複数のフィルタ１２５ａ，１２５ｂ，１２５ｃを備えるフィルタユニット１２５が設けられている。ここでは、前から順に、赤外カットフィルタ１２５ａ（ＩＲＣＦ）、近赤外光透過フィルタ１２５ｂ、近赤外対応の偏光フィルタ１２５ｃが配置されている。
【００２８】
ライトユニット１１において、光源のうち「近赤外光偏光光」を「紫外光偏光光」に代えた場合には、近赤外光透過フィルタ１２５ｂ及び近赤外対応の偏光フィルタ１２５ｃは、紫外光透過フィルタ１２５ｂ及び紫外光対応の偏光フィルタ１２５ｃに置換される。
【００２９】
ここで、子宮頸癌などの婦人科系の診断に際し、白色光や緑色光などの可視光でのコルポスコピー撮影に加え、近赤外光及び紫外光の不可視光を照射できるように構成しておくことが好適な理由は次のとおりである。患部の最深部（真皮）を撮影するには近赤外光でのコルポスコピー撮影が適しており、それより波長が短くなるほど光は深部に届かなくなる傾向がある。また、色素病変ではメラニン、血管腫ではヘモグロビンが患部の色調の変化をもたらす色素となり得るが、後者のオキシヘモグロビンについては可視光の照射が適する一方、前者のドーパメラニンでは波長が長いほど光の吸収効率が低下するため、可視光より波長が短い紫外光がより効果的となる。
【００３０】
（コントローラ１３）
コントローラ１３は、本体部１３１にシャッタボタンが設けられているほか、その内部には、前述した撮像素子１２７が読み取った撮影画像を記憶する記憶部や、コルポスコピーカメラ１０の各部を制御する制御部が設けられている（記憶部や制御部は不図示であるが、撮像素子１２７を含めてこれらを撮像ユニットという）。また、コントローラ１３の後面には、撮影画像を表示する表示部１３２が設けられている。なお、表示部１３２の画面は、コルポスコピーカメラ１０の各種設定を実行するためのタッチパネル式の画面としてもよい。
【００３１】
（画角）
図４は、コルポスコピーカメラ１０の画角の例を示している。図４に示すように、被写体である子宮頸部などを想定して、例えば、焦点距離を４００ｍｍ、３５ｍｍ版換算とした場合、画角は、３．４３７°で設定される。これは、望遠レンズとしての設定によって患部を観察するものであり、この場合の被写体の観察範囲は、高さｈが４９．０ｍｍ、幅ｗが３３．７５ｍｍである。
【００３２】
（第２実施形態）
次に、図５を参照して、第２実施形態に係るコルポスコピーカメラ１０Ａ（診断支援装置）について説明する。コルポスコピーカメラ１０Ａは、ライトユニット１１における光源の構成が異なる点以外は第１実施形態に係るコルポスコピーカメラ１０と同様であるので、以下、同様である点については第１実施形態を援用することとし、第１実施形態と異なる点を中心に説明する。
【００３３】
図５は、コルポスコピーカメラ１０Ａの斜視図である。図５に示すように、コルポスコピーカメラ１０Ａのライトユニット１１は、第１実施形態のコルポスコピーカメラ１０と対比して、近赤外光の発光源であるＬＥＤ１１８ｃと偏光フィルタ１１４ｃによる二対４個の「近赤外光偏光光」の光源を割愛したものである。
【００３４】
コルポスコピーカメラ１０Ａにおけるフィルタ１１４とＬＥＤ１１８の組み合わせを整理すると、ＬＥＤ１１８ａとフィルタ無し１１４ａによる一対２個の「白色光非偏光光」、ＬＥＤ１１８ｂと偏光フィルタ１１４ｂによる二対４個の「白色光偏光光」、及びＬＥＤ１１８ｄと緑色フィルタ１１４ｄによる一対２個の「緑色光非偏光光」という、計四対８個の３種類の光源が設けられることとなる。３種類の光源のうち、「白色光偏光光」は、コルポスコピーカメラ１０と同様に、「白色光非偏光光」及び「緑色光非偏光光」の一対２個に対し、光量低下を防止するために倍の二対４個に設けられている。
【００３５】
コルポスコピーカメラ１０Ａは、「近赤外光偏光光」による観察が求められないような場合に使用するものであって、光源の数を減らすことにより、相対的に安価なコルポスコピーカメラ１０Ａを提供することができる。
【００３６】
（第３実施形態）
次に、図６を参照して、第３実施形態に係るコルポスコピーカメラ１０Ｂ（診断支援装置）について説明する。コルポスコピーカメラ１０Ｂは、ライトユニット１１における光源の構成が異なる点以外は第１実施形態に係るコルポスコピーカメラ１０と同様であるので、以下、同様である点については第１実施形態を援用することとし、第１実施形態と異なる点を中心に説明する。
【００３７】
図６は、コルポスコピーカメラ１０Ｂの斜視図である。図６に示すように、コルポスコピーカメラ１０Ｂのライトユニット１１は、第１実施形態のコルポスコピーカメラ１０と対比して、それぞれの光源を対向する位置に一対に設けるのではなく、種類ごとに集約したものである。具体的には、１個のフィルタ無し１１４ａの内側に１個のＬＥＤ１１８ａ、１個の偏光フィルタ１１４ｂの内側に２個のＬＥＤ１１８ｂ、１個の偏光フィルタ１１４ｃの内側に２個のＬＥＤ１１８ｃ、及び１個の緑色フィルタ１１４ｄの内側に１個のＬＥＤ１１８ｄが配置されている。
【００３８】
コルポスコピーカメラ１０Ｂにおけるフィルタ１１４とＬＥＤ１１８の組み合わせを整理すると、ＬＥＤ１１８ａとフィルタ無し１１４ａによる１個の「白色光非偏光光」、ＬＥＤ１１８ｂと偏光フィルタ１１４ｂによる２個の「白色光偏光光」、ＬＥＤ１１８ｃと偏光フィルタ１１４ｃによる２個の「近赤外光偏光光」、及びＬＥＤ１１８ｄと緑色フィルタ１１４ｄによる１個の「緑色光非偏光光」という、計６個の４種類の光源が設けられることとなる。４種類の光源のうち、「白色光偏光光」及び「近赤外光偏光光」は、コルポスコピーカメラ１０と同様に、「白色光非偏光光」及び「緑色光非偏光光」の１個に対し、光量低下を防止するために倍の２個に設けられている。
【００３９】
コルポスコピーカメラ１０Ｂは、出射光を被写体に対し照射するにあたって光源を対向する位置に一対に設けなくても均一性に支障がないような場合に使用するものであって、ライトユニット１１のカバー体１１２の製造工数や関連部品点数の削減などにより、相対的に安価なコルポスコピーカメラ１０Ｂを提供することができる。
【００４０】
（第４実施形態）
次に、図７及び図８を参照して、第４実施形態に係るコルポスコピーカメラ１０Ｃ（診断支援装置）について説明する。コルポスコピーカメラ１０Ｃは、ライトユニット１１における光源の構成が異なる点以外は第１実施形態に係るコルポスコピーカメラ１０と同様であるので、以下、同様である点については第１実施形態を援用することとし、第１実施形態と異なる点を中心に説明する。
【００４１】
図７は、第４実施形態におけるライトユニット１１（各種のフィルタ１１４ａ，１１４ｂ，１４ｃ，１１４ｄ、ＬＥＤ１１８ａ，１１８ｂ，１１８ｃ，１１８ｄ）とカメラ本体１２（レンズユニット１２１）の関係を模式的に説明する図である。図８は、緑色フィルタの透過率を説明するグラフである。なお、図７における各要素の配置は、説明の便宜を考慮して模式的に表したものであり、上述したコルポスコピーカメラ１０，１０Ａ，１０Ｂのように各要素の位置関係を具体的な態様として表したものではない。
【００４２】
コルポスコピーカメラ１０Ｃは、図７に示すように、コルポスコピーカメラ１０，１０Ａ，１０Ｂでは「緑色光非偏光光」としている光源を「緑色光偏光光」とするものである。すなわち、ＬＥＤ１１８ｄと緑色フィルタ１１４ｄの組み合わせに対し、さらに偏光フィルタ１１４ｅを加えるものである。なお、図７では、偏光フィルタ１１４ｅが緑色フィルタ１１４ｄの前方側（図中左側）に設けられているが、逆に、緑色フィルタ１１４ｄの後方側（図中右側）に設けられてもよい。
【００４３】
コルポスコピーカメラ１０，１０Ａ，１０Ｂでは、通常の白色光による観察・撮影のほかに、血管の強調画像が得られるように「緑色光非偏光光」を光源に設けたが、コルポスコピーカメラ１０Ｃでは、被写体である患部がウェットな状態にあるときの表面反射（照り返し）を取り除く効果のある偏光フィルタを緑波長領域においても設定することとし、「緑色光偏光光」を光源に設けたものである。
【００４４】
コルポスコピーカメラ１０Ｃを第１実施形態のコルポスコピーカメラ１０に応用した場合、フィルタ１１４とＬＥＤ１１８の組み合わせは、ＬＥＤ１１８ａとフィルタ無し１１４ａによる一対２個の「白色光非偏光光」、ＬＥＤ１１８ｂと偏光フィルタ１１４ｂによる二対４個の「白色光偏光光」、ＬＥＤ１１８ｃと偏光フィルタ１１４ｃによる二対４個の「近赤外光偏光光」、及びＬＥＤ１１８ｄと緑色フィルタ１１４ｄと偏光フィルタ１１４ｅによる二対４個の「緑色光偏光光」という、計七対１４個の４種類の光源が設けられることとなる。４種類の光源のうち、「白色光偏光光」、「近赤外光偏光光」及び「緑色光偏光光」は、「白色光非偏光光」の一対２個に対し、光量低下を防止するために倍の二対４個となる。
【００４５】
また、コルポスコピーカメラ１０Ｃを第２実施形態のコルポスコピーカメラ１０Ａに応用した場合、フィルタ１１４とＬＥＤ１１８の組み合わせは、ＬＥＤ１１８ａとフィルタ無し１１４ａによる一対２個の「白色光非偏光光」、ＬＥＤ１１８ｂと偏光フィルタ１１４ｂによる二対４個の「白色光偏光光」、及びＬＥＤ１１８ｄと緑色フィルタ１１４ｄと偏光フィルタ１１４ｅによる二対４個の「緑色光偏光光」という、計五対１０個の３種類の光源が設けられることとなる。３種類の光源のうち、「白色光偏光光」及び「緑色光偏光光」は、「白色光非偏光光」の一対２個に対し、光量低下を防止するために倍の二対４個となる。
【００４６】
また、コルポスコピーカメラ１０Ｃを第３実施形態のコルポスコピーカメラ１０Ｂに応用した場合、フィルタ１１４とＬＥＤ１１８の組み合わせは、ＬＥＤ１１８ａとフィルタ無し１１４ａによる１個の「白色光非偏光光」、ＬＥＤ１１８ｂと偏光フィルタ１１４ｂによる２個の「白色光偏光光」、ＬＥＤ１１８ｃと偏光フィルタ１１４ｃによる２個の「近赤外光偏光光」、及びＬＥＤ１１８ｄと緑色フィルタ１１４ｄと偏光フィルタ１１４ｅによる２個の「緑色光偏光光」という、計７個の４種類の光源が設けられることとなる。４種類の光源のうち、「白色光偏光光」、「近赤外光偏光光」及び「緑色光偏光光」は、「白色光非偏光光」の１個に対し、光量低下を防止するために倍の２個となる。
【００４７】
ここで、緑色フィルタ１１４ｄの透過率は、図８に示す例えば線Ｂのとおりである。図８には緑色フィルタ１１４ｄに係る線Ｂのほかに、線Ａとして、フィルタユニット１２５の赤外カットフィルタ１２５ａ（ＩＲＣＦ）の透過率を、線Ｃとして、ライトユニット１１で用いられている近赤外対応の偏光フィルタ１１４ｃ又はフィルタユニット１２５で用いられている近赤外対応の偏光フィルタ１２５ｃを単独で使用した場合の透過率を、線Ｄとして、同じく偏光フィルタ１１４ｃ又は偏光フィルタ１２５ｃを２枚で直交して使用した場合の透過率を、それぞれ示している。
【００４８】
図８に示すように、近赤外対応の偏光フィルタ１１４ｃや偏光フィルタ１２５ｃは、単独であっても２枚を直交したものであっても、長波長側（図では、概ね８５０ｎｍ前後以上）にて偏光性能が無くなってしまう。一方、ＣＭＯＳセンサなどの撮像素子１２７は、概ね１０００ｎｍ程度まで感度を持っている。
【００４９】
本実施形態では、赤外カットフィルタ１２５ａ（ＩＲＣＦ）と重なる波長領域（図８では、概ね５００ｎｍ前後〜概ね６３０ｎｍ前後）において高い透過率を有する緑色フィルタ１１４ｄを、偏光性能が発揮される範囲の波長領域（図８では、概ね８５０ｎｍ前後以下）において用いるものである。これにより、コルポスコピーカメラ１０Ｃは、観察対象である患部における血管がコントラスト良く見えるとともに透過率が高い波長の緑色光を出射できる緑色フィルタ１１４ｄを用い、併せて、偏光フィルタ１１４ｅを用いることにより、被写体である患部がウェットな状態であっても表面反射（照り返し）を取り除いて良好な観察が可能となる。
【００５０】
（第５実施形態）
次に、図９を参照して、第５実施形態に係るフィルタユニット１２５について説明する。図９は、図３のフィルタユニット１２５を抽出して、その一態様を説明する図である。このフィルタユニット１２５は、上述した第１から第４実施形態に係るコルポスコピーカメラ１０，１０Ａ，１０Ｂ，１０Ｃのいずれにも適用可能なものである。
【００５１】
フィルタユニット１２５は、複数のフィルタ１２５ａ，１２５ｂ，１２５ｃをそれぞれ独立して各別に動作することができるように構成したものである。すなわち、各フィルタ１２５ａ，１２５ｂ，１２５ｃは、回転動作によって光軸上に位置する状態と光軸上から退避する状態との間を移動可能である。これによって、ライトユニット１１において点灯された光源に合わせて必要なフィルタを適宜組み合わせて、異なる撮影状態で被写体を撮影することが可能となる。
【００５２】
フィルタユニット１２５は、複数のフィルタ１２５ａ，１２５ｂ，１２５ｃと、これらが取り付けられたフィルタ取付板１２５ｄを備えている。図３に示したように、フィルタ取付板１２５ｄは、レンズユニット１２１の撮像レンズ系１２４の背面部（すなわち撮像素子１２７の側）に設けられており、固定部１２５ｅを介してレンズユニット１２１に固定される。なお、フィルタ類は、撮像レンズ系１２４の前後いずれであっても設けることが可能であるが、ここでは、フィルタユニット１２５のコルポスコピーカメラ１０，１０Ａ，１０Ｂ，１０Ｃへの実装効率（実装するスペース、動作機構の配置）などを考慮して、撮像レンズ系１２４の後方すなわち撮像素子１２７の直前に設けている。
【００５３】
複数のフィルタとしては、光特性が異なる、赤外カットフィルタ１２５ａ、近赤外光透過フィルタ１２５ｂ、近赤外対応の偏光フィルタ１２５ｃの３枚が設けられている。ここでは、３枚のフィルタの場合を示しているが、その枚数はこれら３枚に限られるものではなく、必要に応じて他のフィルタを加えて、例えば５枚や６枚の態様としても差し支えない。また、ライトユニット１１に紫外光に係る光源が設けられた場合には、前述したように、近赤外光透過フィルタ１２５ｂ、近赤外対応の偏光フィルタ１２５ｃは、紫外光透過フィルタ１２５ｂ、紫外対応の偏光フィルタ１２５ｃとすればよい。
【００５４】
複数のフィルタ１２５ａ，１２５ｂ，１２５ｃのそれぞれは、フィルタ取付板１２５ｄの中心（すなわち光軸）をカバーするフィルタ部１２５Ａｆと、フィルタ部１２５Ａｆをフィルタ取付板１２５ｄの外周部１２５Ｂｏに取り付けるためのシャフト部１２５Ａｓを備えており、シャフト部１２５Ａｓの基端はピン１２５Ｂｐでフィルタ取付板１２５ｄの外周部１２５Ｂｏに軸支される。これによって、複数のフィルタ１２５ａ，１２５ｂ，１２５ｃのそれぞれは回転動作することができ、ピン１２５Ｂｐを中心に独立して光軸上に位置する状態と光軸上から退避する状態との間を移動することが可能となる。
【００５５】
複数のフィルタ１２５ａ，１２５ｂ，１２５ｃのそれぞれは、要求されるフィルタが独立して回転動作する。回転動作させるには、シャッタに連動してフィルタが回転するようにモータ、ギア機構、カム機構及び／又は電磁機構などの駆動機構（不図示）を採用することができる。なお、複数のフィルタ１２５ａ，１２５ｂ，１２５ｃの動作については、回転動作のほかにも、スライド動作（引き戸動作）、開閉動作（開き戸動作）としてもよいが、コルポスコピーカメラ１０，１０Ａ，１０Ｂ，１０Ｃの奥行方向の省スペースや、構造上の簡便さを確保するためには、回転動作が好ましい。複数のフィルタ１２５ａ，１２５ｂ，１２５ｃの回転動作は、連写設定によって行うことも可能である。
【００５６】
ライトユニット１１に設けられた各光源に対応してフィルタを動作させる場合の例を示す。図９は、コルポスコピー撮影にあたって、白色光を用いて偏光無しの「白色光非偏光光」によって撮影を行う場合を示している。この場合、赤外カットフィルタ１２５ａを矢印Ｅの方向に回転動作させて光軸上に位置させる。このとき、近赤外光透過フィルタ１２５ｂと偏光フィルタ１２５ｃは、光軸上から退避している。
【００５７】
コルポスコピー撮影にあたって、白色光を用いて偏光有りの「白色光偏光光」によって撮影を行う場合には、赤外カットフィルタ１２５ａを矢印Ｅの方向に回転動作させたうえで、偏光フィルタ１２５ｃも光軸上に回転動作させて、両者が光軸上に重なるように位置させる。このとき、近赤外光透過フィルタ１２５ｂは、光軸上から退避している。
【００５８】
さらに、コルポスコピー撮影にあたって、近赤外光を用いて偏光有りの「近赤外光偏光光」によって撮影を行う場合には、偏光フィルタ１２５ｃと近赤外光透過フィルタ１２５ｂを回転動作させて、両者が光軸上に重なるように位置させる。このとき、赤外カットフィルタ１２５ａは、光軸上から退避している。
【００５９】
なお、赤外カットフィルタ１２５ａは、ライトユニット１１の光源が偏光有りの場合であっても偏光無しの場合であっても、白色光（可視光）による撮影では光軸上に位置させる。これは、デジタル画像に起こりやすい赤色発生（赤外部分）をカットするためである。これに対し、近赤外光（紫外など可視光以外のその他の波長の光を含む）による撮影では光軸上から退避させるため、赤外カットフィルタ１２５ａも回転動作を可能に構成されている。
【００６０】
（実施形態の効果）
コルポスコピーカメラ１０，１０Ａ，１０Ｂ，１０Ｃは、患部の診断に際し、第１可視光である白色光でのコルポスコピー撮影に加え、第２可視光である緑色光又は青色光でのコルポスコピー撮影が可能である。緑色が観察対象である患部における血管がコントラスト良く見える波長であること、さらには緑色フィルタの透過率が高い波長であることから、効果的に子宮頸部などの被写体を観察することができる。
【００６１】
コルポスコピーカメラ１０，１０Ｂ，１０Ｃは、患部の診断に際し、第１可視光である白色光及び第２可視光である緑色光又は青色光でのコルポスコピー撮影に加え、不可視光である近赤外光又は紫外光でのコルポスコピー撮影が可能である。患部の最深部（真皮）を撮影するには近赤外光での撮影が適しており、それより波長が短くなるほど光は深部に届かなくなる傾向がある。また、色素病変ではメラニン、血管腫ではヘモグロビンが患部の色調の変化をもたらす色素となり得るが、後者のオキシヘモグロビンについては可視光の照射が適する一方、前者のドーパメラニンでは波長が長いほど光の吸収効率が低下するため、可視光より波長が短い紫外光がより効果的となる。
【００６２】
コルポスコピーカメラ１０，１０Ａ，１０Ｂ，１０Ｃは、簡単な操作で、ライトユニット１１の光源である、「白色光（第１可視光）非偏光光」、「白色光（第１可視光）偏光光」、「緑色光（第２可視光）非偏光光」、「緑色光（第２可視光）偏光光」及び／又は「近赤外光（不可視光）偏光光」を切り替えて撮影できる。
【００６３】
従来のようにアタッチメントを取り換えて２回に分けて撮影すると、どうしても画角がずれてしまうが、コルポスコピーカメラ１０，１０Ａ，１０Ｂ，１０Ｃは、コルポスコピー撮影時に、外光の変化やＡＥ、ホワイトバランス等のカメラの微妙な違いに影響されない、純粋な偏光／非偏光の同一画角の同一倍率の撮影が可能となることから、診断時間の短縮を図ることができるとともに、比較しやすい撮影画像を得ることができる。
【００６４】
コルポスコピーカメラ１０，１０Ａ，１０Ｂ，１０Ｃにおいては、フィルタユニット１２５において、複数のフィルタすなわち赤外カットフィルタ１２５ａ、近赤外光透過フィルタ１２５ｂ、偏光フィルタ１２５ｃのそれぞれが回転動作によって独立して光軸上に位置又は光軸上から退避するので、コルポスコピー撮影時そのほかの別の撮影時において、求められるフィルタを選択的に任意に組み合わせる構成としたことにより、設定されたそれらの異なる撮影状態で被写体を撮影することができる。また、光軸上に位置及び光軸上から退避を回転動作によって行うことから、各フィルタと光軸との動作距離や動作時間を均一化することができる。さらに、レンズユニット１２１のサイズ、特に奥行方向の厚みの大型化を生じさせず、実装効率が良好な診断支援装置を提供できる。
【００６５】
（実施形態の変形について）
本実施形態は上述した態様に限定されず、様々な変形及び応用が可能である。上述の実施形態では、カメラ本体１２に対してライトユニット１１を回動可能に取り付けてもよいし、開閉可能に取り付けてもよい。要するに、撮影の際に、レンズユニット１２１の撮像レンズ系１２４の前方をライトユニット１１で覆うように配置すればよい。なお、撮像レンズ系１２４は、コルポスコピーカメラ１０，１０Ａ，１０Ｂ，１０Ｃの用途等を勘案して、ズームレンズに代えて固定焦点レンズとして構成しても差し支えない。
【００６６】
また、上記実施形態では、各種光源は、ＬＥＤであると説明したが、他の光源を採用してもよい。例えば、ハロゲンランプなどの高輝度ライト、半導体発光素子、及び有機エレクトロルミネッセンスなどの発光素子を用いることができる。
【００６７】
また、「緑色光非偏光光」又は「緑色光偏光光」に係る光源は、白色光（第１可視光）のＬＥＤ１１８ｄと緑色フィルタ１１４ｄによって構成されていると説明したが、ＬＥＤ１１８ｄ自身を緑色光（第２可視光）のＬＥＤ１１８ｄｄ（第２可視光を緑色光に代えて青色光とする場合には、青色光のＬＥＤ１１８ｄｄ）を採用してもよい。また、発する光の色が互いに異なる光源を設けるようにして、異なる色の光源ごとに独立して発光できる態様であってもよい。このように、異なる色の光を照射して撮像画像を得ることで、異なる像を得ることができ、異なる像を比較したり、像を重ね合わせたりすることで、患部の検査、及び診断を容易なものとすることができる。
【００６８】
また、上記の実施形態では、１回のシャッタ操作で連写によって行うことも可能と説明したが、高速で２回のシャッタ操作をした場合や、ダブルタップのような操作を、連写指令と判断して連写を行うようにしてもよい。
【００６９】
また、本実施形態に係る診断支援装置は、上記実施形態で説明したコルポスコピーカメラ１０，１０Ａ，１０Ｂ，１０Ｃのように、コルポスコピー撮影のための診断支援装置に限定されない。冒頭で説明したサービコスコピーカメラの外にも、より一般的に被写体に接触することで撮影する診断支援装置であるクローズアップカメラなどにも、本発明を適用することができる。
【００７０】
また、コルポスコピーカメラ１０，１０Ａ，１０Ｂ，１０Ｃにおいては、コントローラ１３の背面の表示部１３２に、タッチパネル式の画面（不図示）が設けられてもよいと説明した。しかしながら、タッチパネル式の画面（不図示）等の表示部１３２（操作受付部を兼ねるものを含む）をコントローラ１３から物理的に分離した操作部に設けるようにしてもよい。コントローラ１３と表示部１３２とは、既存の通信技術を用いて双方向に通信可能とし、撮影者は、表示部１３２を操作することにより、カメラ本体１２の各種設定やシャッタ操作等を行うことができる。
【００７１】
以下に、この出願の願書に最初に添付した特許請求の範囲に記載した発明を付記する。付記に記載した請求項の項番は、この出願の願書に最初に添付した特許請求の範囲のとおりである。
［請求項１］
婦人科系の疾患の診断を支援するための診断支援装置であって、
患部に第１可視光及び第２可視光を用いてスポット照射を行うライトユニットと、
前記患部からの反射光を可視化するレンズユニットと、を備え、
前記ライトユニットは、第１可視光非偏光光、第２可視光非偏光光、及び第１可視光偏光光を発光可能であり、
前記第１可視光非偏光光の光源は、第１可視光発光源により、
前記第２可視光非偏光光の光源は、第２可視光発光源により、
前記第１可視光偏光光の光源は、第１可視光発光源と偏光フィルタにより、それぞれ構成されている、ことを特徴とする診断支援装置。
［請求項２］
前記第１可視光非偏光光の光源、前記第２可視光非偏光光の光源、及び前記第１可視光偏光光の光源は、前記レンズユニットのレンズの外周を取り囲むように配置され、前二者の各光源は、前記レンズを挟んで対向する位置に一対２個で、後者の光源は、前記レンズを挟んで対向する位置に二対４個で、それぞれ配置されている、ことを特徴とする請求項１に記載の診断支援装置。
［請求項３］
前記ライトユニットは、前記患部に不可視光を用いてスポット照射を行う光源をさらに有することによって不可視光偏光光を発光可能であり、前記不可視光偏光光の光源は、不可視光発光源と偏光フィルタにより構成されている、ことを特徴とする請求項１に記載の診断支援装置。
［請求項４］
前記第１可視光非偏光光の光源、前記第２可視光非偏光光の光源、前記第１可視光偏光光の光源、及び前記不可視光偏光光の光源は、前記レンズユニットのレンズの外周を取り囲むように配置され、前二者の各光源は１個で、後二者の各光源は隣接する２個で、それぞれ配置されている、ことを特徴とする請求項３に記載の診断支援装置。
［請求項５］
前記第１可視光非偏光光の光源、前記第２可視光非偏光光の光源、前記第１可視光偏光光の光源、及び前記不可視光偏光光の光源は、前記レンズユニットのレンズの外周を取り囲むように配置され、前二者の各光源は、前記レンズを挟んで対向する位置に一対２個で、後二者の各光源は、前記レンズを挟んで対向する位置に二対４個で、それぞれ配置されている、ことを特徴とする請求項３に記載の診断支援装置。
［請求項６］
前記第１可視光は、白色光であり、前記第２可視光は、緑色光及び青色光の少なくとも１つである、ことを特徴とする請求項１から５のいずれか１項に記載の診断支援装置。
［請求項７］
前記不可視光は、近赤外光及び紫外光の少なくとも１つである、ことを特徴とする請求項３から５のいずれか１項に記載の診断支援装置。
［請求項８］
前記第２可視光発光源は、白色光の発光源と第２可視光フィルタにより構成されていることを特徴とする請求項１から７のいずれか１項に記載の診断支援装置。
［請求項９］
前記ライトユニットは、前記第２可視光発光源に偏光フィルタを、又は、白色光の発光源と第２可視光フィルタに偏光フィルタを付加して、前記第２可視光非偏光光の光源を第２可視光偏光光の光源とすることにより、前記第２可視光偏光光を発光可能である、ことを特徴とする請求項１から７のいずれか１項に記載の診断支援装置。
［請求項１０］
前記第１可視光非偏光光の光源、前記第２可視光偏光光の光源、及び前記第１可視光偏光光の光源は、前記レンズユニットのレンズの外周を取り囲むように配置され、前者の光源は、前記レンズを挟んで対向する位置に一対２個で、後二者の各光源は、前記レンズを挟んで対向する位置に二対４個で、それぞれ配置されている、ことを特徴とする請求項９に記載の診断支援装置。
［請求項１１］
前記第１可視光非偏光光の光源、前記第２可視光偏光光の光源、前記第１可視光偏光光の光源、及び前記不可視光偏光光の光源は、前記レンズユニットのレンズの外周を取り囲むように配置され、前者の光源は１個で、後三者の各光源は隣接する２個で、それぞれ配置されている、ことを特徴とする請求項９に記載の診断支援装置。
［請求項１２］
前記第１可視光非偏光光の光源、前記第２可視光偏光光の光源、前記第１可視光偏光光の光源、及び前記不可視光偏光光の光源は、前記レンズユニットのレンズの外周を取り囲むように配置され、前者の光源は、前記レンズを挟んで対向する位置に一対２個で、後三者の各光源は、前記レンズを挟んで対向する位置に二対４個で、それぞれ配置されている、ことを特徴とする請求項９に記載の診断支援装置。
［請求項１３］
さらに、前記患部を撮像する撮像ユニットを備えることにより、コルポスコピーカメラ又はサービコスコピーカメラとして構成されることを特徴とする請求項１から１２のいずれか１項に記載の診断支援装置。
［請求項１４］
前記レンズユニットが、光軸上に位置する状態と光軸上から退避する状態との間を移動可能な複数のフィルタを含むフィルタユニットを備えることを特徴とする請求項１から１３のいずれか１項に記載の診断支援装置。
【符号の説明】
【００７２】
１０…コルポスコピーカメラ（第１実施形態。診断支援装置）
１１…ライトユニット、
１１１…保護ガラス
１１２…カバー体
１１３…保護ガラス
１１４…各種のフィルタ（１１４ａ…フィルタ無し、１１４ｂ…偏光フィルタ、１１４ｃ…偏光フィルタ、１１４ｄ…緑色＜第２可視光＞フィルタ、１１４ｅ…偏光フィルタ）
１１５…集光レンズ
１１６…ＬＥＤ筒
１１７…ＬＥＤ基板
１１８…各種のＬＥＤ（１１８ａ…白色光＜第１可視光＞のＬＥＤ、１１８ｂ…白色光のＬＥＤ、１１８ｃ…近赤外光＜不可視光＞のＬＥＤ、１１８ｄ…白色光のＬＥＤ、１１８ｄｄ…緑色光＜第２可視光＞のＬＥＤ）
１１９…クッション
１２…カメラ本体
１２１…レンズユニット
１２２…ライトユニットの取付部
１２３…枠体
１２４…撮像レンズ系
１２５…フィルタユニット
１２６…筐体
１２７…撮像素子
１３…コントローラ
１３１…本体部
１３２…表示部
１０Ａ…コルポスコピーカメラ（第２実施形態。診断支援装置）
１０Ｂ…コルポスコピーカメラ（第３実施形態。診断支援装置）
１０Ｃ…コルポスコピーカメラ（第４実施形態。診断支援装置）
【図１】
2019217179.tif 000003
【図２】
2019217179.tif 000004
【図３】
2019217179.tif 000005
【図４】
2019217179.tif 000006
【図５】
2019217179.tif 000007
【図６】
2019217179.tif 000008
【図７】
2019217179.tif 000009
【図８】
2019217179.tif 000010
【図９】
2019217179.tif 000011